(57)【要約】定置の円弧状に湾曲された複数のドラム壁（１２）及び回転域（２０）に対する出入口（２２）並びに前記ドラム壁（１２）間に延びていて回転軸線を基準として回動可能に支承された少なくとも１つのドア翼（１６）及び該ドア翼（１６）と一緒に回転する天井（２６）を備え、該天井（２６）が前記ドア翼（１６）と共に複数本のローラ（３６）を介して、回転域（２０）に対して同心的に配置された支承座（３４）内に懸架されており、かつ前記の各ローラ（３６）が天井（２６）内で軸受（３８）に回転可能に軸支されている形式の回転ドア（１０）において、少なくとも軸受（３８）がローラ（３６）と共に、組立のために運用位置から組立位置へ天井（２６）の方向へ移動可能かつ逆に戻り移動可能であり、しかもローラ（３６）の組立状態で運用位置では前記ローラ（３６）が支承座（３４）内に配置され、かつ組立位置では前記支承座（３４）の外部に配置されている。
2004511688.tif 000002
【特許請求の範囲】
【請求項１】
定置の円弧状に湾曲された複数のドラム壁（１２）及び回転域（２０）に対する出入口（２２）並びに前記ドラム壁（１２）間に延びていて回転軸線を基準として回動可能に支承された少なくとも１つのドア翼（１６）及び該ドア翼（１６）と一緒に回転する天井（２６）を備え、該天井（２６）が前記ドア翼（１６）と共に複数本のローラ（３６）を介して、回転域（２０）に対して同心的に配置された支承座（３４）内に懸架されており、かつ前記の各ローラ（３６）が天井（２６）内で軸受（３８）に回転可能に軸支されている形式の回転ドア（１０）において、少なくとも軸受（３８）がローラ（３６）と共に、組立のために運用位置から組立位置へ天井（２６）の方向へ移動可能かつ逆に戻り移動可能であり、しかもローラ（３６）の組立状態で運用位置では前記ローラ（３６）が支承座（３４）内に配置され、かつ組立位置では前記支承座（３４）の外部に配置されていることを特徴とする、回転ドア。
【請求項２】
軸受（３８）が、回転軸線に対して半径方向に運用位置と組立位置との間を可動である、請求項１記載の回転ドア。
【請求項３】
組立位置ではローラ（３６）が、天井（２６）の基面内に配置されている、請求項１又は２記載の回転ドア。
【請求項４】
天井（２６）が実質的に回転域（２０）全体にわたっている、請求項１から３までのいずれか１項記載の回転ドア。
【請求項５】
ローラ（３６）が、ドア翼（１６）を天井（２６）と共に回転するために、前記天井（２６）内に配置された駆動装置と協働する、請求項１から４までのいずれか１項記載の回転ドア。
【請求項６】
駆動装置が、夫々１本のローラ（３６）と協働する複数のモータ（２２）から成っている、請求項１から５までのいずれか１項記載の回転ドア。
【請求項７】
少なくとも１つのモータ（３２）が、該モータに対応配設されたローラ（３６）のための軸受（３８）をも形成している、請求項６記載の回転ドア。
【請求項８】
ローラ（３６）が着脱可能に軸受（３８）と結合されている、請求項１から７までのいずれか１項記載の回転ドア。
【請求項９】
軸受（３８）が運用位置及び／又は組立位置において位置固定可能である、請求項１から８までのいずれか１項記載の回転ドア。
【請求項１０】
軸受（３８）が長穴（４２）を有しており、該長穴内には、軸受（３８）を固定するために天井（２６）と結合されたねじ継手のような着脱可能な固定部材が係合している、請求項９記載の回転ドア。
【請求項１１】
天井構造全体が前組立可能であり、かつ軸受（３８）を組立位置から運用位置へ移動させることによって前記天井構造が使用される、請求項１から１０までのいずれか１項記載の回転ドア。
【発明の詳細な説明】
【０００１】
技術分野：
本発明は、請求項１に発明の上位概念として規定したように、定置の円弧状に湾曲されたドラム壁、回転域への入口もしくは該回転域からの出口並びに前記ドラム壁間に延びていて回転軸線を基準として回動可能に支承された少なくとも１つのドア翼及び該ドア翼と一緒に回転する天井を有し、該天井が前記ドア翼と共に複数のローラを介して、回転域に対して同心的に配置された支承座内に懸架されており、かつ前記の各ローラが天井内で軸受に回転可能に軸支されている形式の回転ドアに関する。
【０００２】
背景技術：
前記形式の回転ドアは、例えばドイツ連邦共和国特許出願公開第４４４２１９１号明細書に基づいて公知である。互いに対向して定置に配置された２つのドラム壁間に、ロータディスクの形式で一緒に回転する天井が、実質的に長方形のセントラルユニット上に配置されており、該セントラルユニットには、互いに垂直に位置する４枚のドア翼が接続している。天井構造内には、セントラルユニット及びドア翼を備えたロータディスク用の駆動ユニットが内蔵されている。セントラルユニット及びドア翼を備えたロータディスクは、複数のローラを介して、回転域に相応して円環状に配置された支承座内に懸架されている。天井は、回転域全体にわたって延びている。天井の上には、ローラを回転可能に軸支した軸受が配置されている。支承座はＵ形断面に形成されているので、所属の軸受によって夫々支持されたローラは、支承座内でのドア翼の回転と相俟って、支承座のＵ形形状の一方の脚片を介して循環運動することができる。
【０００３】
公知の回転ドアの欠点は、該回転ドアが殆ど全体的に現場で組立てられねばならない点にある。プレ・ファブリケーションは部分的にしか可能でない。特にローラ及び支承座を備えた天井構造は現場で建造されねばならない。それというのはローラが天井を超えて支承座内へ延びており、かつ天井をセントラルユニット並びにドア翼と共に支持して案内するからである。
【０００４】
発明の開示：
本発明の課題は、請求項１において発明の上位概念として規定した形式の回転ドアを改良して、従来技術の前記欠点を避けると共に、ローラ及び軸受を有する天井構造の前組立を可能にすることである。
【０００５】
前記課題は、本発明の上位概念として規定した構成手段と相俟って、請求項１の特徴部に記載した構成手段によって解決される。
【０００６】
本発明は、天井構造全体が前組立される限り、軸受の可動性によってローラが支承座外から移動され、支承座リング内部へ搬入され、次いでローラが軸受と共に移動されるので、天井構造がローラ上に載り、かつ該ローラは支承座内に載るという認識に基づいている。
【０００７】
従って本発明によれば、少なくとも軸受は、ローラと共に、組立のために運用位置から組立位置へ天井の方向へ移動可能かつ逆に戻り移動可能であり、しかもローラの組立状態で運用位置では前記ローラが支承座内に配置され、かつ組立位置では前記支承座の外部に配置されている。円形の天井構造は今や造作なく円環状の支承座の内側へ搬入可能であり、次いで該支承座はローラと共に移動調整されて、該ローラが支承座内に位置し、従って天井構造を支承座を介して支持するようにすることができる。
【０００８】
可能な限り短い移動調整運動を保証するために、軸受は、回転軸線に対して半径方向に運用位置と組立位置との間を可動である。
【０００９】
搬送時に軸受及びローラに損傷を生ぜしめないようにするために、組立位置ではローラは、天井の基面内に配置されている。天井構造はその場合、一層コンパクトに包装することができる。
【００１０】
本発明の実施形態によれば、天井は実質的に回転域全体にわたっており、これによって殊に回転域全域を照明するための照明手段の配置が容易になる。
【００１１】
本発明によって可能になる天井の前組立効果を、モータ駆動式回転ドアの場合にも達成するために、ローラは、ドア翼を天井と共に回転するために、前記天井内に配置された駆動装置と協働する。この場合殊に有利には、駆動装置は複数のモータから成っており、しかも１つのモータは夫々１本のローラを駆動する。その場合少なくとも１つのモータが、該モータに対応配設されたローラのための軸受をも形成しているのが有利である。従って組立の場合、ローラの軸受を形成するモータは、組立位置から運用位置へ動かされ、またその逆に動かされる。
【００１２】
ローラ及び／又は軸受の交換を可能にするために、ローラは着脱可能に軸受と結合されている。
【００１３】
支承座内におけるローラの確実な案内を保証するために、運用位置において軸受は位置固定可能である。回転ドアの、予め製作された天井構造を搬送するためには、軸受を組立位置に位置固定するのが有利である。これによって、包装の損傷及び／又はローラ並びに軸受の損傷の要因となる軸受並びにローラの不都合な運動が回避される。
【００１４】
軸受は長穴を有しており、該長穴内には、軸受を固定するために天井と結合された着脱可能な固定部材が係合しているのが有利である。
【００１５】
本発明のその他の利点及び特徴は、図面に基づく１実施例の以下の説明から明らかである。
【００１６】
発明を実施するための最良の形態：
次に図面に基づいて本発明の実施例を詳説する。
【００１７】
図１には、建造物の円弧状に湾曲された２つのドラム壁１２間の回転ドア１０が図示されている。両ドラム壁１２は互いに等しく構成されており、かつ、同一円の円周上に位置するように対向配置されている。
【００１８】
前記ドラム壁１２に対して同心的に１つのセントラルユニット１４が設けられており、該セントラルユニットは、互いに垂直に方位づけられた４枚のドア翼１６を備えている。セントラルユニット１４は、夫々外向きに均等に湾曲された４つの湾曲壁１８を有している。各湾曲壁１８の２つの終端域は夫々１枚のドア翼１６の方向に向いている。
【００１９】
ドア翼１６及びセントラルユニット１４は、ドラム壁１２と協働して、等しい大きさの４つの通路域１９を相互に仕切っており、すべての通路域は相俟ってドア翼１６の回転域２０を形成し、該回転域はドラム壁１２によって画定されている。ドラム壁１２間には夫々１つの通過口２２が設けられており、該通過口を通って回転域２０へ踏み入ることが可能である。
【００２０】
ドア翼１６を有するセントラルユニット１４の湾曲壁１８は、回転ドア１０の天井２６において、一緒に回転するロータディスク２４と結合されている。ロータディスク２４と４つの湾曲壁１８とから成るユニットが、セントラルユニット１４を形成している。
【００２１】
ロータディスク２４は複数のモータ３２を有し、該モータは、運動センサ２８及び／又はハンドスイッチ３０を介して、セントラルユニット１４をドア翼１６と共に駆動するために制御される。
【００２２】
図２の概略平面図では天井２６の一部分が図示されている。天井２６の傍に円環状に配置された支承座リング３４内には、複数本のローラ３６が間隔をおいて組込まれている。各ローラ３６は夫々１つの軸受３８に軸支されており、該軸受は、図２及び図３に示した運用位置と図４に示した組立位置との間を、回転軸線に対して半径方向にシフト可能である。
【００２３】
支承座リング３４はＵ形断面に構成されている。運用位置ではローラ３６は支承座リング３４の一方の脚片上に載っている。図２及び図３によればローラ３６は該支承座リング３４の下部脚片に当接している。ローラ３６を介して天井２６は、セントラルユニット１４及びドア翼１６と共に支承座リング３４内に支承される。軸受３８は、ローラ３６を駆動するためのモータ３２を有している。
【００２４】
支承リング３４は下面で実質的に天井２６と面整合しているので、支承座リング３４内へのローラ３６の搬入もしくは支承座３４外へのローラ３６の搬出は、造作なく可能である。支承座リング３４と天井２６との間には、公知のようにブラシパッキン４０が間挿されている。
【００２５】
軸受３８は少なくとも１つの長穴４２を有し、該長穴は、軸受３８のシフト方向に等しく方位づけられている。
【００２６】
ねじ継手のような、図示を省いた固定手段によって、軸受３８はローラ３６と共にその運用位置及び組立位置に固定的に確保することができる。
【００２７】
図４に図示した組立位置では、各ローラ３６はモータ３２を有する軸受３８と共に、天井２６の半径方向延在距離内に位置しており、該半径方向延在距離は実質的に、ドア翼１６の回転域に等しい。これに基づいて明らかなように、天井２６はそっくり下から支承座リング３４の内部に搬入され、次いで軸受３８をローラ３６と共に、図３に相当する運用位置へ動かすことが可能である。
【００２８】
等しい角度間隔をとって複数のローラ３６は所属の軸受３８と共に天井２６の上に配置されている。複数の軸受３８はやはり、天井２６をセントラルユニット１４及びドア翼１６と共に駆動するためのモータ３２を夫々有している。
【００２９】
本発明は、ローラ３６を所属の軸受３８及びモータ３２と共に簡単に移動調整することが可能であり、これによって組立が簡便になるという利点を有している。今や天井２６を、ほぼそっくり前組立し、これをそっくり支承座リング３４の内部に搬入し、次いで軸受３８をローラ３６と共に移動調整することによって、天井２６を支承座リング３４内に懸架することが可能である。次いでドア翼１６を備えたセントラルユニット１４が天井２６と連結される。
【図面の簡単な説明】
【図１】
回転ドアの斜視的な側面図である。
【図２】
ローラ、支承座及び駆動モータを有する回転ドアの天井構造部分域の原理的な平面図である。
【図３】
運転位置で示したローラ域の概略的な断面図である。
【図４】
組立位置で示したローラ域の概略的な断面図である。
【符号の説明】
１０　　回転ドア、　１２　　ドラム壁、　１４　　セントラルユニット、　１６　　ドア翼、　１８　　湾曲壁、　１９　　通路域、　２０　　回転域、　２２　　通過口、　２４　　ロータディスク、　２６　　天井、　２８　　運動センサ、　３０　　ハンドスイッチ、　３２　　モータ、　３４　　支承座リング、　３６　　ローラ、　３８　　軸受、　４０　　ブラシパッキン、　４２　　長穴
【国際公開パンフレット】
2004511688.tif 000003
2004511688.tif 000004
2004511688.tif 000005
2004511688.tif 000006
2004511688.tif 000007
2004511688.tif 000008
2004511688.tif 000009
2004511688.tif 000010
2004511688.tif 000011
2004511688.tif 000012
2004511688.tif 000013
2004511688.tif 000014
2004511688.tif 000015
2004511688.tif 000016
2004511688.tif 000017
【国際調査報告】
2004511688.tif 000018
2004511688.tif 000019
2004511688.tif 000020
2004511688.tif 000021